(57)【要約】  少なくとも１つのマウント本体を有する光学マウントを含む光学部品マウントシステム。少なくとも１つの光学部品受け入れ部が光学マウント本体に形成されている。光学部品受け入れ部は、少なくとも１つの光学部品を受け入れるよう構成されている。加うるに、少なくとも１つのカップリング延長部が光学マウント本体から延びている。カップリング延長部には、少なくとも１つのカップリング受け入れ部が形成されている。カップリング受け入れ部は、少なくとも１つの光レール本体の少なくとも一部分を受け入れるよう構成されている。一実施形態では、カップリング受け入れ部と光学部品受け入れ部は、光学マウントの共通長手方向軸線に沿って相互位置合わせされる。【選択図】図４
2018527626.tif 000002
【特許請求の範囲】
【請求項１】
光レールシステム用の光学部品マウントシステムであって、
少なくとも１つのマウント本体を有する光学マウントを含み、前記光学マウント本体には、少なくとも１つの光学部品受け入れ部が形成され、前記光学部品受け入れ部は、少なくとも１つの光学部品を受け入れるよう構成され、
前記光学マウント本体から延びる少なくとも１つのカップリング延長部を含み、前記カップリング延長部には、少なくとも１つのカップリング受け入れ部が形成され、前記カップリング受け入れ部は、少なくとも１つの光レール本体の少なくとも一部分を受け入れるよう構成され、前記カップリング受け入れ部と前記光学部品受け入れ部は、共に、前記光学マウントの共通長手方向軸線に沿って位置合わせされている、光学部品マウントシステム。
【請求項２】
前記光学マウント本体に形成された前記光学部品受け入れ部は、開口した孔から成る、請求項１記載の光学部品マウントシステム。
【請求項３】
前記光学マウント本体に形成された前記光学部品受け入れ部は、１つまたは２つ以上の非透過形光学部品を受け入れるよう構成された非開口孔から成る、請求項１記載の光学部品マウントシステム。
【請求項４】
前記カップリング延長部は、前記光学マウント本体と一体であり、それによりモノリシック本体が形成されている、請求項１記載の光学部品マウントシステム。
【請求項５】
前記カップリング延長部は、前記光学マウント本体から選択的に取り外し可能である、請求項１記載の光学部品マウントシステム。
【請求項６】
少なくとも１つのカップリング受け入れ部が形成された少なくとも１つのマウント位置決め取り付け具を更に含み、前記カップリング受け入れ部は、光レール装置に選択的に係合して該光レール装置上に保持されるよう構成され、
前記マウント位置決め取り付け具に選択的に結合されたり該マウント位置決め取り付け具から取り外し可能であったりするように構成された少なくとも１つの部品位置決め取り付け具を更に含み、前記部品位置決め取り付け具には、少なくとも１つの光学部品受け入れ部が形成されている、請求項５記載の光学部品マウントシステム。
【請求項７】
光レールシステム用の光学部品マウントシステムであって、
少なくとも１つのマウント本体を有する光学マウントを含み、前記少なくとも１つのマウント本体には、少なくとも１つの光学部品受け入れ部が形成され、
少なくとも１つの光学部品を保持する少なくとも１つの部品支持本体を含み、前記部品支持本体は、前記マウント本体に形成された前記光部品受け入れ部内に保持され、
前記マウント本体上に位置決めされた少なくとも１つの部品位置決め装置を含み、前記部品位置決め装置は、前記光学マウント本体を通り抜けて前記部品支持本体の少なくとも一部分に係合し、前記部品位置決め装置の作動の結果として、付勢力が部品支持本体に加えられ、その結果、前記光学部品受け入れ部に対する前記部品支持本体の運動が生じ、
前記光学マウント本体から延びる少なくとも１つのカップリング延長部を含み、前記カップリング延長部には、少なくとも１つのカップリング受け入れ部が形成され、前記カップリン受け入れ部は、少なくとも１つの光レール本体の少なくとも一部分を受け入れるよう構成され、前記カップリング受け入れ部と前記光学部品受け入れ部は、共に、前記光学マウントの共通長手方向軸線に沿って位置合わせされている、光学部品マウントシステム。
【請求項８】
前記カップリング延長部は、前記光学マウント本体と一体であり、それによりモノリシック本体が形成されている、請求項７記載の光学部品マウントシステム。
【請求項９】
前記カップリング延長部は、前記光学マウント本体から選択的に取り外し可能である、請求項７記載の光学部品マウントシステム。
【請求項１０】
光レールシステム用の光学部品マウントシステムであって、
少なくとも１つのマウント位置決め本体を有する光学マウントを含み、前記マウント位置決め本体からは少なくとも１つのカップリング延長部が延び、前記カップリング延長部には、少なくとも１つのカップリング受け入れ部が形成され、前記カップリング受け入れ部は、少なくとも１つの光レール本体の少なくとも一部分を受け入れるよう構成され、前記カップリング受け入れ部と前記光学部品受け入れ部は、共に、前記光学マウントの共通長手方向軸線に沿って位置合わせされ、
前記マウント位置決め本体に調整可能に結合されるとともに少なくとも１つの光学部品に選択的に係合して該光学部品を支持するよう構成された少なくとも１つの取り付けプレート本体を含み、
前記取り付けプレート本体を前記マウント位置決め本体に結合する少なくとも１つの位置調整システムを含み、前記位置調整システムは、前記マウント位置決め本体の一部分を通り抜けて前記取り付けプレート本体の少なくとも一部分に選択的に係合するよう構成された少なくとも１つの調整アクチュエータと、少なくとも１つの付勢力を前記取り付けプレート本体にもたらすよう構成された少なくとも１つの付勢部材とを含み、前記取り付けプレート本体は、前記マウント位置決め本体の方へ付勢されている、光学部品マウントシステム。
【請求項１１】
前記カップリング延長部は、前記光学マウント本体と一体であり、それによりモノリシック本体が形成されている、請求項１０記載の光学部品マウントシステム。
【請求項１２】
前記カップリング延長部は、前記光学マウント本体から選択的に取り外し可能である、請求項１０記載の光学部品マウントシステム。
【請求項１３】
前記位置調整システムは、前記取り付けプレート本体を前記マウント位置決め本体に結合するよう構成されたキネマチックカップリングシステムを含む、請求項１０記載の光学部品マウントシステム。
【請求項１４】
前記取り付けプレート本体上に位置決めされた少なくとも１つの部品保持器具を更に含み、前記部品保持器具は、少なくとも１つの光学部品を取り付けプレート本体にしっかりとかつ選択的に結合するよう構成されている、請求項１０記載の光学部品マウントシステム。
【発明の詳細な説明】
【背景技術】
【０００１】
〔関連出願の説明〕
本願は、２０１５年９月１８日に出願された米国特許仮出願第６２／２２０，３３７号（発明の名称：Optical Component Mount System for Use with an Optical Rail System）の優先権主張出願であり、この米国特許仮出願を参照により引用し、その記載内容を本明細書の一部とする。
【０００２】
光学コンポーネント、例えばレンズ、ミラー、格子などが様々な分野で用いられている。典型的には、これら部品は、光学部品を所望の場所に支持したり位置決めしたりするよう構成された光学マウント装置上に位置決めされまたはこれに結合される。複雑な光学システムは、１つまたは２つ以上の光学ベンチまたは台上に位置決めされた多数の光学サブシステムで構成されている場合があり、光学サブシステムは、多様な光学部品／検出器、センサ、計器などなどを含む場合がある。多くの場合、１つの光学サブシステムおよび／または１つまたは２つ以上の光学コンポーネントを光学システム内に再位置決めすることは、課題であり、これには、もし全体ではないとしても光学システムの一部分の時間がかかりかつ労働集約的な再位置合わせ（リアライメント）が必要である。
【０００３】
上記内容に照らして、光学システムおよびサブシステムの容易な組み立て、位置合わせ、および区分化を可能にする光レールシステムが開発された。例えば、ニューポート・コーポレイション（Newport Corporation）によって製造されたOpticsCage+TM光ケージシステムおよびA-LineTM自動位置合わせレンズマウントにより、ユーザは、光学システムまたはワークエリア中に容易に挿入できるとともに／あるいはこれから取り出せる光学システムおよびサブシステムを容易にかつ再現可能に構成することができる。これら装置は、過去において有用であることが判明したが、時々においてレールシステムから単一光部品を取り出すことは、難題であることが判明した。例えば、光学コンポーネントを複雑な光学サブアセンブリ内の中間位置に追加したり／あるいはこれから取り出したりするには、追加の光学部品の取り出しが必要になる場合がある。
【発明の概要】
【発明が解決しようとする課題】
【０００４】
上記背景技術に照らして、ユーザが光学部品を光レールシステムに容易に追加し、位置合わせし、そして光レールシステムから容易に取り出したりすることができるようにするよう構成された光学マウントシステムが目下要望されている。
【課題を解決するための手段】
【０００５】
本願は、１つまたは２つ以上の光学部品を１つまたは２つ以上の光レールシステムに結合する際に用いられる光学部品マウントシステムに関する。一実施形態では、光レールシステム用の光学部品マウントシステムは、少なくとも１つのマウント本体を有する光学マウントを含む。少なくとも１つの光学部品受け入れ部またはレシーバが光学マウント本体に形成されている。光学部品受け入れ部は、少なくとも１つの光学部品を受け入れるよう構成されている。加うるに、少なくとも１つのカップリング延長部が光学マウント本体から延びている。カップリング延長部には、少なくとも１つのカップリング受け入れ部が形成されている。カップリング受け入れ部は、少なくとも１つの光レール本体の少なくとも一部分を受け入れるよう構成されている。一実施形態では、カップリング受け入れ部と光学部品受け入れ部は、光学マウントの共通長手方向軸線に沿って相互位置合わせされる。
【０００６】
別の実施形態では、本願は、少なくとも１つの光レールシステム用の光学部品マウントシステムに関する。具体的に言えば、光学部品マウントシステムは、少なくとも１つのマウント本体を含むのが良く、少なくとも１つのマウント本体には、少なくとも１つの光学部品受け入れ部が形成されている。光学部品受け入れ部は、少なくとも１つの光学部品を収納・支持する少なくとも１つの部品支持本体を受け入れるよう構成されている。少なくとも１つの部品位置決め装置がマウント本体上に位置決めされている。部品位置決め装置は、光学マウント本体を通り抜けて部品支持本体の少なくとも一部分に係合している。使用中、部品位置決め装置の作動の結果として、付勢力が部品支持本体に加えられ、その結果、光学部品受け入れ部に対する部品支持本体の運動が生じる。少なくとも１つのカップリング延長部が光学マウント本体から延びている。カップリング延長部には、少なくとも１つのカップリング受け入れ部が形成されている。カップリン受け入れ部は、少なくとも１つの光レール本体の少なくとも一部分を受け入れるよう構成され、カップリング受け入れ部と光学部品受け入れ部は、光学マウントの共通長手方向軸線に沿って相互位置合わせされる。
【０００７】
さらに別の実施形態では、本願は、少なくとも１つのマウント位置決め本体を有する光学マウントを開示している。マウント位置決め本体は、少なくとも１つのカップリング受け入れ部が形成された少なくとも１つのカップリング延長部を有し、カップリング受け入れ部は、少なくとも１つの光レール本体の少なくとも一部分を受け入れるよう構成され、カップリング受け入れ部と光学部品受け入れ部は、光学マウントの共通長手方向軸線に沿って相互位置合わせされる。少なくとも１つの取り付けプレート本体がマウント位置決め本体に調整可能に結合されるとともに少なくとも１つの光学部品に選択的に係合してこの光学部品を収納・支持するよう構成されている。加うるに、光学部品マウントシステムは、取り付けプレート本体をマウント位置決め本体に結合した少なくとも１つの位置調整システムを含む。位置調整システムは、マウント位置決め本体の一部分を通り抜けて取り付けプレート本体の少なくとも一部分に選択的に係合するよう構成された少なくとも１つの調整アクチュエータと、少なくとも１つの付勢力を取り付けプレート本体にもたらすよう構成された少なくとも１つの付勢部材とを含み、取り付けプレート本体は、マウント位置決め本体の方へ付勢されている。
【０００８】
本明細書において説明する光レールシステム用の光学部品マウントシステムの他の特徴および他の利点は、以下の詳細な説明を考慮すると明らかになろう。
【０００９】
光レールシステム用の光学部品マウントシステムの種々の実施形態について添付の図面により詳細に説明する。
【図面の簡単な説明】
【００１０】
【図１】光レールシステム用の光学部品マウントシステムの一実施形態の立面斜視図であり、カップリング延長部がマウント本体と一体である状態を示す図である。
【図２】光レールシステムに結合された光学部品マウントシステムの一実施形態の立面斜視図である。
【図３】調整可能な光学部品マウントシステムの一実施形態の立面斜視図であり、光学部品マウントによって支持された光学部品の位置が選択的にユーザによって調整可能であるということを示す図である。
【図４】調整可能な光学部品マウントシステムの別の実施形態の立面斜視図であり、光学部品マウントによって支持された光学部品の位置がユーザによって選択的に調整可能であることを示す図である。
【図５】調整可能な光学部品マウントシステムの別の実施形態の立面斜視図であり、光学部品マウントによって支持された光学部品の位置がユーザによって選択的に調整可能であることを示す図である。
【図６】部品位置決め取り付け具から分離可能な位置決め取り付け具本体を含む光レールシステム用の光学部品マウントシステムの一実施形態の立面斜視図である。
【図７】図６に示された光学部品マウントシステムに用いられている位置決め取り付け具本体の一実施形態の立面斜視図である。
【図８】光レールシステム用の光学部品マウントシステムの一実施形態の立面斜視図であり、カップリング延長部がマウント本体と一体であり、光レールシステムに少なくとも１つの位置合わせ特徴部が設けられている状態を示す図である。
【図９】図８に示された光レールシステム用の光学部品マウントシステムの一実施形態の立面断面斜視図である。
【発明を実施するための形態】
【００１１】
図１および図２は、光レールシステム用の光学マウントの一実施形態の種々の実施形態である。図示のように、光学マウント１０は、少なくとも１つの光学部品レシーバまたは受け入れ部１４が形成された少なくとも１つのマウント本体１２を有する。図示の実施形態では、マウント本体１２には、単一の部品受け入れ部１４が形成されており、ただし、当業者であれば理解されるように、任意の数の光学部品受け入れ部１４をマウント本体１２に形成することができる。図示の実施形態では、光学マウント１０およびその種々の構成部品は、アルミニウムで作られる。変形実施形態では、光学マウント１０およびその種々の構成部品は、１種類または２種類以上のポリマーで作られる。オプションとして、光学マウント１０およびその種々の構成部品は、任意の種々の材料で製造され、かかる材料としては、合金、ポリマー、エラストマー、複合材料、種々の金属などが挙げられるが、これらには限定されない。さらに、図１および図２は、光学マウント１０の一実施形態を示しており、マウント本体１２は、モノリシック構造体から成る。
【００１２】
再び図１および図２を参照すると、図示の実施形態では、部品受け入れ部１４は、全体として円形である。オプションとして、部品受け入れ部１４は、任意の種々の形状に形成できる。図示の実施形態では、部品受け入れ部１４は、１つまたは２つ以上のレンズ、光フィルタ、および／または類似の透過性または反射性部品を受け入れるよう構成された開口状態の孔を有する。変形実施形態では、部品受け入れ部１４は、開口孔を備える必要はない。例えば、部品受け入れ部１４は、この受け入れ部内に位置決めされまたはこれに結合された１つまたは２つ以上の非透過性光学素子を有するよう構成されても良い。したがって、部品受け入れ部１４は、１つまたは２つ以上の非透過性光学部品を支持状態で受け入れるよう構成された壁部材（図示せず）を有しても良い。例えば、光学マウント１０は、１つまたは２つ以上のミラー、回折格子、センサ、または類似の非透過性部品を収納状態で支持するよう構成されていても良い。したがって、光学マウント１０は、１つまたは２つ以上の透過性素子を収納状態で支持したり位置決めしたりするよう構成された開口または非閉塞部品受け入れ部１４または変形例では、１つまたは２つ以上の反射または回折部品を収納状態で支持したり位置決めしたりするよう構成された閉鎖または閉塞部品受け入れ部１４を有することができる。
【００１３】
再び図１および図２を参照すると、光学マウント１０は、マウント本体１２上に形成されまたはこれに結合された少なくとも１つのカップリング延長部１６を有する。図示のように、１つまたは２つ以上のカップリング受け入れ部１８がカップリング延長部１６に形成されている。上述したように、カップリング受け入れ部１８を備えたカップリング延長部１６は、マウント本体１２と一体であるのが良く、それによりモノリシック本体が形成される。オプションとして、カップリング延長部１６は、マウント本体１２から分離可能であるのが良い。図示の実施形態では単一のカップリング受け入れ部１８がカップリング延長部１６に形成されている。変形実施形態では、多数のカップリング受け入れ部１８がカップリング１６に形成されても良い。図１に示されているように、カップリング受け入れ部１８は、部品受け入れ部１４の長手方向ＡLに沿って相互位置合わせされるのが良い。したがって、カップリング受け入れ部１８と部品受け入れ部１４は、共通長手方向軸線ＡLに沿って位置合わせされる。その結果、部品受け入れ部１４内に位置決めされた状態で少なくとも１つの部品保持器具２２によってこの中に保持された少なくとも１つの光学部品２６の長手方向軸線ＡOは、光学マウント１０の部品受け入れ部１４およびカップリング受け入れ部１８の長手方向軸線ＡLと相互位置合わせ状態に位置決めされる。オプションとして、当業者であれば理解されるように、部品受け入れ部１４内に位置決めされた少なくとも１つの光学部品２６の長手方向軸線ＡOは、光学マウント１０の部品受け入れ部１４およびカップリング受け入れ部１８の長手方向軸線ＡLと相互位置合わせ状態に位置決めされる必要はない。
【００１４】
再び図１および図２を参照すると、光学マウント１０は、少なくとも１つの締結具通路２８内に位置決めされた少なくとも１つのカップリング締結具２０を有するのが良く、締結具通路２８は、光学マウント１０をカップリング延長部１６に形成されたカップリング受け入れ部１８内に位置決めされている少なくとも１つの光学マウントレールまたはロッド器具２４に選択的に結合するよう構成されている。図示の実施形態では、単一のカップリング締結具２０が単一の締結具通路２８内に位置決めされており、ただし、当業者であれば理解されるように、任意の数の締結具２２を光学マウント１０に形成されている任意の数の締結具通路２８内に位置決めすることができる。
【００１５】
図１および図２に示されているように、少なくとも１つの部品保持器具２２は、少なくとも１つの光学部品または類似の器具を部品受け入れ部１４内にしっかりと位置決めするよう使用されるのが良い。一実施形態では、部品保持器具２２は、少なくとも１つのねじ山付きリングまたは類似の器具を有し、かかる少なくとも１つのねじ山付きリングまたは類似の器具は、マウント本体１２に螺合関係をなして係合するよう構成されている。オプションとして、任意の種々の別の器具および方法を用いても光学マウント１０を１つまたは２つ以上の光学部品２６にしっかりと結合しまたは位置決めすることができる。
【００１６】
図３は、光レールシステム用の光学マウントの別の実施形態を示している。図示のように、光学マウント３０は、少なくとも１つの部品受け入れ部３４を内部に画定するマウント本体３２を有する。先の実施形態と同様、当業者であれば理解されるように、部品受け入れ部３４は、光学マウント３０に結合されまたはこれと連絡状態にある任意の種々の光学部品または器具を受け入れることができるよう任意の種々の形状に形成できる。さらに、少なくとも１つのカップリング延長部３６が光学マウント３０のマウント本体３２の少なくとも一部分から延びている。オプションとして、カップリング延長部３６は、マウント本体３２と一体であるのが良く、それにより一体形またはモノリシック本体が形成される。別の実施形態では、カップリング延長部３６は、マウント本体３２から分離可能である。先の実施形態と同様、カップリング延長部３６には、少なくとも１つのカップリング受け入れ部３８が形成されている。一実施形態では、カップリング受け入れ部３８は、光学マウント３０のマウント本体３２の長手方向軸線ＡLに沿って位置決めされており、ただし、当業者であれば理解されるように、カップリング受け入れ部３８をマウント本体３２上のどこかに位置決めすることができる。さらに、光学マウント３０は、１つまたは２つ以上の締結具４２が収納状態で位置決めされている１つまたは２つ以上の締結具受け入れ部４０を有するのが良く、それにより光学マウント３０を１本または２本以上の光レール、ロッド、または類似のオプトメカニカル位置決め器具またはシステムに取り外し可能にかつ可動的に結合することができる。
【００１７】
再び図３を参照すると、光学マウント３０には少なくとも１つの部品位置決めシステムが設けられている。図示の実施形態では、光学マウント３０は、マウント本体３２上に位置決めされた多数の部品位置決めシステム４４ａ，４４ｂを有する。図示の実施形態では、部品位置決めシステム４４ａ，４４ｂは、少なくとも１つの調整器具孔４８内に位置決めされた少なくとも１つの調整器具４６を有する。調整器具４６は、光学マウント３０のマウント本体３２に形成された部品受け入れ部３４内に配置されまたはこれに結合された少なくとも１つの部品支持本体５０に係合してこれを制御可能に位置決めするよう構成されている。部品支持本体５０および部品保持器具５２は、少なくとも１つの光学部品（図示せず）に係合してこれを光学マウント３０に結合するよう構成されている。図示の実施形態では、部品位置決めシステム４４ａ，４４ｂにより、ユーザは、１つまたは２つ以上の光学部品を光学マウント３０に容易に結合することができる。別の実施形態では、部品位置決めシステム４４ａ，４４ｂにより、ユーザは、光学マウント３０によって支持された光学部品（図示せず）の位置を光学マウント３０の長手方向軸線ＡL、光学マウント３０の横方向軸線ＡLT、またはこれら両方に対して選択的に調整することができる。例えば、少なくとも１つの部品位置決めシステム４４ａ，４４ｂの作動の結果として、付勢力が部品支持本体５０に加えられるのが良く、その結果、光学部品を収納・保持した部品支持本体５０を部品受け入れ部３４内で制御された状態で動かすことができる。
【００１８】
図４および図５は、光レールシステム用の光学マウントの更に別の実施形態を示している。図示のように、光学マウント６０は、少なくとも１つの通路６４が設けられたマウント位置決め本体６２を有する。先の実施形態と同様、当業者であれば理解されるように、通路６４を任意の種々の形状に形成できる。さらに、少なくとも１つのカップリング延長部６６が光学マウント６０のマウント位置決め本体６２の少なくとも一部分から延びている。オプションとして、カップリング延長部６８は、マウント位置決め本体６２と一体であるのが良い。先の実施形態と同様、カップリング延長部６６には、少なくとも１つのカップリング受け入れ部６８が形成されている。一実施形態では、カップリング受け入れ部６８は、光学マウント６０のマウント位置決め本体６２の長手方向軸線ＡLに沿って位置決めされており、ただし、当業者であれば理解されるように、カップリング受け入れ部６８をマウント位置決め本体６２上のどこかに位置決めすることができる。さらに、光学マウント６０は、１つまたは２つ以上の締結具８６が収納状態で位置決めされている１つまたは２つ以上の締結具受け入れ部８８を有するのが良く、それにより光学マウント６０を１本または２本以上の光レール、ロッド、または類似のオプトメカニカル位置決め器具またはシステムに取り外し可能にかつ可動的に結合することができる。
【００１９】
再び図４および図５を参照すると、光学マウント６０は、マウント位置決め本体６２に可動的に結合された少なくとも１つの部品取り付けプレート７０を有する。部品取り付けプレート７０は、少なくとも１つの孔７４が形成された少なくとも１つの部品取り付けプレート本体７２を有するのが良い。オプションとして、部品取り付けプレート７０は、部品取り付けプレート本体７２に形成される孔７４を備える必要はない。図４に示されているように、少なくとも１つの部品保持器具７６が孔７４内に位置決めされても良くあるいは部品取り付けプレート本体７２に取り外し可能に結合されても良い。部品保持器具７６は、１つまたは２つ以上の光学部品または類似の器具を光学マウント６０に結合することができるよう構成されているのが良い。さらに、光学マウント６０は、部品保持器具７４に係合するよう構成された１つまたは２つ以上の締結具７８を有するのが良く、それにより、部品（図示せず）が光学マウント６０上にまたはこの中に位置決めされると、更に固定される。
【００２０】
再び図４および図５を参照すると、少なくとも１つの位置調整システム８０が光学マウント６０上にまたはこの中に設けられるのが良い。一実施形態では、位置調整システム８０は、少なくとも１つのアクチュエータ通路（図示せず）に位置決めされた少なくとも１つの調整部材８２を有し、マウント位置決め本体６２を通り抜け、そして取り付けプレート本体７２に選択的に係合する。図示の実施形態では、位置調整システム８０は、任意の種々の器具を含み、かかる器具としては、ロッド、ねじ山付き本体、ばね、付勢部材、ピンなどが挙げられるが、これらには限定されない。例えば、図示の実施形態では、位置調整システム８０は、調整部材８２を含み、この調整部材は、少なくとも１つのねじ山付きロッドおよびキネマチック取り付けアーキテクチャを用いて部品取り付けプレート７０をマウント位置決め本体６２に係合させるよう構成された少なくとも１つの付勢部材８４を有する。変形例では、当業者であれば理解されるように、任意の種々の可動取り付けアーキテクチャを光学マウント６０に用いることができる。さらに、光学マウント６０は、マウント位置決め本体６２に形成された１つまたは２つ以上の締結具取り入れ部８８内に位置決めされた１つまたは２つ以上の締結具８６を有し、それにより、光学マウント６０を１つまたは２つ以上の光レールまたは類似のマウントに可動関係をなして容易に結合することができる。
【００２１】
図４および図５に示されているように、調整部材８２の作動の結果として、部品取り付け本体７２を位置決め本体６２に対して制御可能に動かすことができ、その結果、部品取り付けプレート本体７２の長手方向軸線ＡMPの角度をマウント位置決め本体６２の長手方向軸線ＡLに対して変化させることができる。したがって、当業者であれば理解されるように、部品取り付け本体７２をこれがマウント位置決め本体６２から延び、マウント位置決め本体６２から引っ込めることができ、このマウント位置決め本体６２の位置に対して傾動し、ピッチング（上下縦方向運動）するとともに／あるいはヨーイング（左右水平運動）するよう構成されるのが良い。
【００２２】
図６および図７は、光レールシステム用の光学マウントの更に別の実施形態を示している。図示のように、光学マウントシステム９０は、マウント位置決め取り付け具９２を含み、部品位置決め取り付け具９２は、少なくとも１つの部品位置決め取り付け具１１０をこの部品位置決め取り付け具に取り外し可能に結合させるよう構成されている。図示の実施形態では、部品位置決め取り付け具１１０は、少なくとも１枚のレンズまたは全体として円筒形の部品を収納・支持するよう構成され、ただし、当業者であれば理解されるように、部品位置決め取り付け具１１０を任意の種々の形状および形態で形成することができる。例えば、部品位置決め取り付け具１１０は、１つまたは２つ以上の光ファイバデバイス、センサ、または類似の部品を収納・支持するよう構成するのが良い。したがって、部品位置決め取り付け具１１０は、多数の部品を所望の場所に支持するよう構成されるのが良い。当業者であれば理解されるように、本明細書において説明するマウント位置決め取り付け具９２および部品位置決め取り付け具１１０は、本願において説明する光学部品マウントシステムの実施形態のうちの任意のものに用いるように構成されるのが良い。
【００２３】
再び図６および図７を参照すると、マウント位置決め取り付け具９２は、少なくとも１つの結合取り入れ部９６が設けられた少なくとも１つの位置決め取り付け具本体９４を有する。図示のように、オプションとして、結合取り入れ部９６を部品位置決め取り付け具１１０がマウント位置決め本体９２に結合されたときに部品位置決め取り付け具１１０の長手方向軸線ＡLと相互位置合わせするのが良い。先の実施形態と同様、少なくとも１つの締結具９８がマウント位置決め取り付け具９２に形成されるとともにこれを通って横切る少なくとも１つの締結具受け入れ部１００内に位置決めされるのが良い。加うるに、マウント位置決め取り付け具９２は、１つまたは２つ以上のマウントシステムカプラ１０２を有し、かかるマウントシステムカプラ１０２は、部品位置決め取り付け具１１０を通り抜けてマウント位置決め取り付け具９２上に位置決めされた少なくとも１つのカップリング延長部１０６上に形成されている１つまたは２つ以上のカップリングシステム受け入れ部１０４に取り外し可能に結合するよう構成されている。変形実施形態では、マウントシステムカプラ１０２は、１つまたは２つ以上の磁気部材、摩擦嵌め器具、ダブテール形特徴部などを有し、それによりユーザは、部品位置決め取り付け具９２をマウント位置決め取り付け具１１２に容易に結合したりこれから結合を解除したりすることができる。
【００２４】
再び図６および図７を参照すると、部品位置決め取り付け具１１０は、少なくとも１つの部品通路１１４が形成された部品受け入れ本体１１２を有するのが良い。少なくとも１つの部品保持器具１１６が少なくとも１つの部品を部品受け入れ本体１１２に選択的に結合するよう使用されるのが良い。本願の図１〜図５に記載された光学部品マウントとは異なり、この実施形態により、ユーザは、マウント位置決め本体６２を光学システム内の所望の場所に位置決めし、そして光学部品を光学システムに少なくとも同一の場所において迅速かつ繰り返し追加しまたは取り外したりすることができ、それによりユーザは、所望に応じて部品を交換することができる。
【００２５】
図８および図９は、光レールシステム用の光学マウントの別の実施形態の種々の図である。図１および図２に示された先の実施形態と同様、光学マウント１２０は、少なくとも１つの光部品受け入れ部１２４が形成された少なくとも１つのマウント本体１２２を有する。さらに、光学マウント１２０は、マウント本体１２２に形成されたまたはこれに連結された少なくとも１つのカップリング延長部１２６を有する。オプションとして、カップリング延長部１２６は、マウント本体１２２と一体であっても良くまたはマウント本体１２２に結合したりこれから離脱したりするよう構成されていても良い。１つまたは２つ以上のカップリング受け入れ部１２８がカップリング延長部１２６に形成されるのが良い。図示の実施形態では、単一のカップリング受け入れ部１２８は、カップリング延長部１２６に形成されている。変形実施形態では、多数のカップリング受け入れ部１２８がカップリン延長部１２６上に形成される。図８および図９に示されているように、カップリング受け入れ部１２８は、部品受け入れ部１２４の長手方向軸線ＡLに沿って相互位置合わせされるのが良い。したがって、カップリング受け入れ部１２８および部品受け入れ部１２４は、共通の長手方向軸線ＡLを共有するのが良い。その結果、部品受け入れ部１２４内に位置決めされるとともに少なくとも１つの部品保持器具１３４によってこの中に保持された少なくとも１つの光学部品（図示せず）の長手方向軸線は、光学マウント１２０の部品受け入れ部１２４およびカップリング受け入れ部１２８の長手方向軸線ＡLの相互位置合わせ状態で位置決めされるのが良い。オプションとして、当業者であれば理解されるように、部品受け入れ部１２４内に位置決めされた光学部品（図示せず）のうちの少なくとも１つの長手方向軸線ＡLは、光学マウント１２０の部品受け入れ部１２４およびカップリング受け入れ部１２８の長手方向軸線ＡLと相互位置合わせ状態で位置決めされる必要はない。
【００２６】
再び図８および図９を参照すると、光学マウント１２０は、少なくとも１つの締結具通路１３２内に位置決めされた少なくとも１つのカップリング締結具１３０を有するのが良く、少なくとも１つの締結具通路１３２は、光学マウント１２０をカップリング延長部１２６に形成されたカップリング受け入れ部１２８内に位置決めされた少なくとも１つの光学マウントレールまたはロッド器具１３６に選択的に結合するよう構成されている。図示の実施形態では、単一のカップリング締結具１３０が単一の締結具通路１３２内に位置決めされており、ただし、当業者であれば理解されるように、任意の数の締結具１３０を光学マウント１２０に形成された任意の数の締結具通路１３２内に位置決めすることができる。
【００２７】
図８および図９に示されているように、少なくとも１つの部品保持器具１３４を用いると、少なくとも１つの光学部品または類似の器具（図示せず）を部品受け入れ部１２４内にしっかりと位置決めすることができる。一実施形態では、部品保持器具１３４は、少なくとも１つのねじ山付きリングまたは類似の器具を有し、かかる少なくとも１つのねじ山付きリングまたは類似の器具は、マウント本体１２２に螺合関係をなして係合するよう構成されている。オプションとして、任意の種々の別の器具および方法を用いても光学マウント１２０を１つまたは２つ以上の光学部品にしっかりと結合しまたは位置決めすることができる。
【００２８】
図８および図９に示されているように、図示の実施形態では、光学マウントレール１３６は、光学受け入れ部１２８内に位置決めされた状態でこれを通り抜けている。図９に示されているように、光学マウントレール１３６は、レール本体１３８を有し、このレール本体上にはまたはこのレール本体内には１つまたは２つ以上の位置合わせ特徴部１４０が形成されている。図示の実施形態では、位置合わせ特徴部は、締結具１３０の少なくとも一部分を収容するよう構成された少なくとも１つの凹みを有する。したがって、一実施形態では、位置合わせ特徴部１４０は、光学マウント１２０の部品受け入れ部１２４およびカップリング受け入れ部１２８の長手方向軸線ＡLと直交するのが良い。オプションとして、任意の種々の形状および形態を有する任意の種々の位置合わせ特徴部１４０が光学マウントレール１３６上に形成されても良い。例えば、一実施形態では、位置合わせ特徴部１４０は、１つまたは２つ以上の平坦なフェースを有する。オプションとして、位置合わせ特徴部１４０は、種々の位置合わせ補助具またはマーク、測定器具またはマーク、基準箇所などを含むことができる。
【００２９】
本明細書に開示した実施形態は、本発明の原理の例示である。本発明の範囲内にある他の改造例を採用することができる。したがって、本願において開示した装置は、図示するとともに本明細書において説明した器具そのものには限定されない。
【図１】
2018527626.tif 000003
【図２】
2018527626.tif 000004
【図３】
2018527626.tif 000005
【図４】
2018527626.tif 000006
【図５】
2018527626.tif 000007
【図６】
2018527626.tif 000008
【図７】
2018527626.tif 000009
【図８】
2018527626.tif 000010
【図９】
2018527626.tif 000011
【国際調査報告】
2018527626.tif 000012
2018527626.tif 000013